(57)【特許請求の範囲】
【請求項１】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記運転のうち洗濯運転の洗い行程は給水動作と洗い動作を含み、前記制御装置は、前記洗い行程中に一時中断した場合、どの段階で中断したとしても、運転再開後は洗い動作を初めからやり直すことを特徴とする洗濯機。
【請求項２】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記運転のうち洗濯運転の洗い行程は給水動作と洗い動作を含み、前記制御装置は、前記洗い行程中に一時中断した場合、どの段階で中断したとしても、運転再開後は最低限の一定時間は洗い動作を行うことを特徴とする洗濯機。
【請求項３】
前記制御装置は、運転再開後に行う洗い動作の最低限の洗い時間を、中断時間の長さが長くなるにしたがって長くすることを特徴とする請求項２記載の洗濯機。
【請求項４】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記運転のうち洗濯運転の洗い行程は給水動作と洗い動作を含み、前記制御装置は、前記洗い行程中に一時中断した場合、運転再開後はすすぎ行程におけるすすぎの回数を増やすことを特徴とする洗濯機。
【請求項５】
前記制御装置は、運転再開後に増やすすすぎの回数を、中断時間の長さが長くなるにしたがって多くすることを特徴とする請求項４記載の洗濯機。
【請求項６】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記運転のうち洗濯運転の洗い行程は給水動作と洗い動作を含み、前記制御装置は、前記洗い行程後のすすぎ行程にあって給水しながら脱水するシャワーすすぎ動作が含まれる設定で運転していて、前記洗い行程中に一時中断した場合、運転再開後は前記シャワーすすぎ動作を止めてためすすぎ動作を行うようにすることを特徴とする洗濯機。
【請求項７】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記制御装置は、前記運転のうち脱水動作中に一時中断した場合、運転再開後はその脱水動作を初めからやり直すことを特徴とする洗濯機。
【請求項８】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記制御装置は、前記運転のうち脱水動作中に一時中断した場合、運転再開後は給水して洗濯物を濡らしてから脱水動作を初めからやり直すことを特徴とする洗濯機。
【請求項９】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記運転のうち乾燥運転の乾燥行程は加熱乾燥と仕上げと送風の行程を含み、前記制御装置は、前記乾燥行程中に一時中断した場合、運転再開後は残りの乾燥時間に所定の乾燥時間を追加して行うことを特徴とする洗濯機。
【請求項１０】
前記制御装置は、運転再開後に追加される乾燥時間を、中断時間の長さが長くなるにしたがって長くすることを特徴とする請求項９記載の洗濯機。
【請求項１１】
前記制御装置は、乾燥行程のどのタイミングで一時中断したかによって、運転再開後に追加される乾燥時間を変えることを特徴とする請求項９記載の洗濯機。
【請求項１２】
一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有する洗濯機において、
前記運転のうち乾燥運転の乾燥行程は加熱乾燥と仕上げと送風の行程を含み、前記制御装置は、前記乾燥行程中に一時中断した場合、運転再開して乾燥行程を終了した後、さらに追加で乾燥動作を行えるようにすることを特徴とする洗濯機。
【請求項１３】
前記制御装置は、追加の乾燥時間を、中断時間の長さが長くなるにしたがって長くすることを特徴とする請求項１２記載の洗濯機。
【請求項１４】
追加の乾燥時間を任意で設定できるようにすることを特徴とする請求項１２記載の洗濯機。
【発明の詳細な説明】
【技術分野】
【０００１】
本発明の実施形態は洗濯機に関する。
【背景技術】
【０００２】
洗濯機においては、洗濯運転の終了時期あるいは開始時期を予約できるようにしたものがある。
【先行技術文献】
【特許文献】
【０００３】
【特許文献１】特開平３−１８４５９７号公報
【特許文献２】特許第３０６７９２３号公報
【発明の概要】
【発明が解決しようとする課題】
【０００４】
ところで、最近では、一日における消費電力ピーク時間帯における電気機器による電力消費を控えることが要望されている。消費電力ピーク時間帯の消費電力を抑える方法の一つに、その時間帯での運転を避けるために次のような方法が考えられる。洗濯機において、洗濯運転中に消費電力ピーク時間帯に差し掛かる場合、洗濯運転を一時中断し、そのピーク時間帯が過ぎるのを待ってから運転を再開すれば、電力的には問題はなくなる。しかしながら、この場合、洗濯運転を一時中断することになるため、中断後、中断した時の状態から運転を再開してそのまま運転を終了した場合に、洗濯の仕上がりが悪化する可能性がある。
なお、予約機能は、運転の開始時間を現時点より先にするもので、運転を一時中断し、所定時間後に運転を再開するというものではない。
【０００５】
そこで、運転を一時中断した後、運転を再開しても洗濯物の仕上がりが悪化しないようにできる洗濯機を提供することを目的とする。
【課題を解決するための手段】
【０００６】
一つの実施形態の洗濯機は、一時停止スイッチと、表示部と、制御装置を備え、前記制御装置は、洗濯運転または洗濯・乾燥運転を実行中にユーザーにより前記一時停止スイッチが操作されることに基づき実行中の運転を一時停止させるとともに、行程のどの時点で停止したかを記憶し、さらに、前記表示部に中断する時間を表示し、その表示した時間経過後に前記運転を自動的に再開する仕様を有するものにおいて、前記運転のうち洗濯運転の洗い行程は給水動作と洗い動作を含み、前記制御装置は、前記洗い行程中に一時中断した場合、どの段階で中断したとしても、運転再開後は洗い動作を初めからやり直す。
【図面の簡単な説明】
【０００７】
【図１】第１実施形態による洗濯機の縦断側面図
【図２】操作パネルの平面図
【図３】電気的構成を示すブロック図
【図４】各コースの行程内容を示す図
【図５】処理の流れを示す概略図
【図６】第２実施形態による処理の流れを示す概略図
【図７】第３実施形態による処理の流れを示す概略図
【図８】第４実施形態による処理の流れを示す概略図
【図９】第５実施形態による処理の流れを示す概略図
【図１０】第６実施形態による処理の流れを示す概略図
【図１１】第７実施形態による処理の流れを示す概略図
【図１２】第８実施形態による処理の流れを示す概略図
【図１３】第９実施形態による処理の流れを示す概略図
【図１４】乾燥行程の内容を示す図
【図１５】第１０実施形態による処理の流れを示す概略図
【図１６】第１１実施形態による処理の流れを示す概略図
【発明を実施するための形態】
【０００８】
以下、複数の実施形態による洗濯機を図面に基づいて説明する。なお、各実施形態において実質的に同一の構成部位には同一の符号を付し、説明を省略する。
（第１実施形態）
第１実施形態について図１〜図５を参照して説明する。図１には、縦軸形の洗濯乾燥機の概略縦断側面図が示されている。この図１において、外箱１は矩形箱状をなしていて、この外箱１と、当該外箱１の上部に装着されたトップカバー２とにより、洗濯乾燥機の外殻が形成されている。外箱１の下面には脚部３が設けられている。外箱１の内部には、槽４が配設されている。
【０００９】
槽４は、この場合、水槽５と、この水槽５内に配設された回転槽６との二重槽から構成されている。これら水槽５と回転槽６は、共に有底円筒状をなしていて、それぞれの軸中心線が上下方向に指向する縦軸状に配置されている。水槽５は、吊り棒７ａを主体とする弾性吊持機構７を介して外箱１に弾性的に吊持されている。水槽５は、貯水が可能な構成となっている。回転槽６は、水槽５内に回転可能に収容されていて、周壁部に多数の透孔８を有している。回転槽６の上端開口部の周縁部には、回転バランサ９が設けられている。回転槽６内には、図示しない洗濯物が収容される。回転槽６は、洗い時には洗濯槽として、脱水時には脱水槽として、そして乾燥時には乾燥槽として機能する。
【００１０】
回転槽６内の底部にはパルセータ１０が回転可能に配設され、水槽５の外底部には駆動装置１１が配設されている。この駆動装置１１は、正逆回転可能なモータ１２（図３参照）と、図示しないクラッチ機構などを備えていて、パルセータ１０と回転槽６とを選択的に回転駆動する構成となっている。水槽５の上面には、環状をなす槽カバー１３が設けられていて、この槽カバー１３に、内蓋１４が後部側（図１において左側）のヒンジ１４ａを介して上下方向に開閉可能に設けられている。内蓋１４は、回転槽６の上面開口部の上方に位置している。
【００１１】
上記トップカバー２には、内蓋１４の上方に位置させて、回転槽６に対して洗濯物を出し入れするための洗濯物出入口１５が形成されているとともに、この洗濯物出入口１５を開閉する蓋１６が設けられている。その蓋１６は、後部側のヒンジ１６ａを介して回動可能であり、この場合２つ折り式となっている。
【００１２】
トップカバー２の後部には、乾燥用の温風供給装置２０が配設されている。この温風供給装置２０は、送風用のファン２１と、このファン２１を囲むファンケーシング２２と、ファン２１を回転駆動するファンモータ２３と、加熱用のヒータ２４と、このヒータ２４を収容したヒータケース２５と、このヒータケース２５に接続された供給ダクト２６とから構成されている。ファンケーシング２２の吸入口２２ａは、トップカバー２の後部に形成された外部吸込み口２７に連通し、ファンケーシング２２の吐出口２２ｂは、ヒータケース２５内に連通している。供給ダクト２６は、伸縮性および可撓性に富む蛇腹状をなしていて、下端部が、上記槽カバー１３に形成された温風供給口２８に接続されている。
【００１３】
水槽５の周壁部の下部には、排出口２９が形成されている。また、水槽５の周壁部の外側には、上下方向に延びる循環ダクト３０が設けられていて、この循環ダクト３０の下部が、排出口２９を介して水槽５内と連通している。循環ダクト３０の上部は、槽カバー１３に形成された循環口３１を介して水槽５内と連通している。循環ダクト３０の上端部には、排気口３２が形成されているとともに、この排気口３２にフィルタ３３が装着されている。なお、水槽５の底部には、排水弁３４を介して排水路３５が接続されている。
【００１４】
ここで、上記温風供給装置２０のファンモータ２３によりファン２１が回転駆動されるとともに、ヒータ２４が通電されると、ファン２１の送風作用により、図１の矢印Ａで示すように、機外の空気が外部吸込み口２７から、吸入口２２ａを介してファンケーシング２２内に吸入されるとともに、ファンケーシング２２内の空気が吐出口２２ｂからヒータケース２５内に吐出される。ヒータケース２５内の空気はヒータ２４により加熱されて温風化され、その温風が、供給ダクト２６を通して槽４内に供給される。槽４内に供給された温風は、主に回転槽６内に供給された後、透孔８を通して、回転槽６と水槽５との間にも供給される。そして、水槽５内の温風は、排出口２９から一旦循環ダクト３０側に出て、循環ダクト３０を上方へ流れた後、一部は排気口３２から循環ダクト３０外（外箱１内）へ排出され、残りは、循環口３１から再び槽４内へ戻されるというように循環する。
【００１５】
トップカバー２の前部（図１の右側）の内部には、制御手段を構成する制御装置３９が設けられ、トップカバー２の前部の上面には、図２に示す操作パネル４０が設けられている。この操作パネル４０には、電源の入りスイッチ４１、切りスイッチ４２、スタートと一時停止を兼ねるスタート／一時停止スイッチ４３、全自動コースのうち洗濯コースを選択するための洗濯コース選択スイッチ４４、洗濯・乾燥コースを選択するための洗乾コース選択スイッチ４５、乾燥コースを選択するための乾燥コース選択スイッチ４６、洗い運転の実行時間などを設定するための洗い運転設定スイッチ４７、すすぎ回数などを選択するためのすすぎ運転設定スイッチ４８、脱水時間などを設定するための脱水運転設定スイッチ４９、乾燥時間などを設定するための乾燥運転設定スイッチ５０、水位を設定するための水位設定スイッチ５１、風呂水を使用するか否かを設定するための風呂水スイッチ５２、予約運転を設定するための予約スイッチ５３、蓋１６をロックするためのドアロックスイッチ５４、スタート／一時停止スイッチ４３の周囲に配置された環状の操作ダイヤル５５、各種選択、設定内容、運転状況などを表示する表示部５６などが設けられている。操作ダイヤル５５は回転角度に応じた信号を出力して制御装置３９に与えるようになっている。表示部５６は、時間表示部５６ａを有している。
【００１６】
制御装置３９は、マイクロコンピュータを主体に構成されたもので、洗濯機の作動全般を制御する制御手段として機能するようになっている。図３に示すように、この制御装置３９には、操作パネル４０に設けられた各スイッチ４１〜５４から各種信号が、操作ダイヤル５５からは回転角度に応じた信号が、また、水槽５内の水位を検知する水位センサ５７からは水位検知信号が、排気温度を検知する排気温度センサ５８、および水槽５内の温度を検知する水槽温度センサ５９からは温度検知信号が、モータ１２の回転速度を検知する回転センサ６０からは回転速度検知信号が入力されるようになっている。制御装置３９には、不揮発性メモリ６１が接続されている。
【００１７】
制御装置３９は、それらの各入力信号、並びに予め記憶された制御プログラムに基づいて、操作パネル４０の表示部５６、モータ１２、槽４内へ給水するための給水弁６２、排水弁３４、仕上げ剤を投入する際に開放されるソフター弁６３、ヒータ２４、ファンモータ２３、風呂水ポンプ６４、報知用のブザー６５、蓋１６をロックするための蓋ロック装置６６を、それぞれ駆動回路６７を介して制御するようになっている。
【００１８】
また、制御装置３９は、時計手段を内蔵しており、現在時刻を認識可能である。なお、この時計手段における時刻情報は、インターネットなどの外部ネットワークから得てもよいし、ユーザーが設定してもよい。
【００１９】
図４には、洗濯コース（洗濯運転）と乾燥コース（乾燥運転）の標準コースの一例が示されている。洗濯コースは、重量検知後、洗い行程（給水、洗い）、すすぎ行程（排水、脱水、シャワーすすぎ、脱水、給水、ためすすぎ）、脱水行程（排水、脱水（最終脱水））を順に実行するコースである。洗い行程前の重量検知動作は、回転槽６内への洗濯物の収容状態（水無し）でパルセータ１０を回し、モータ１２にかかる電気的負荷（電流など）を検知することで洗濯物の重量を検知する。この結果に基づいて、水位や所要時間等を決定する。
【００２０】
洗濯コースのうち、給水動作は、給水弁６２を開放して水を槽４内へ供給することで行われる。このときの水位は水位センサ５７にて検知する。洗い動作は、槽４内に水を溜めるとともに洗剤を投入した状態で、パルセータ１０を所定の回転速度で正逆回転させることで行われる。排水動作は、排水弁３４を開放して槽４内の水を機外へ排出することで行われる。脱水動作は、回転槽６を一方向に高速回転させることで行われる。シャワーすすぎ動作は、回転槽６内に給水するとともに回転槽６を回転させて脱水しながらすすぐもので、排水弁３４を開放した状態で行われる。ためすすぎ動作は、槽４内に水を溜めた状態（排水弁３４は閉鎖状態）で、洗い時と同様にパルセータ１０を所定の回転速度で正逆回転させて行われる。
【００２１】
乾燥コースは、重量検知後、加熱乾燥、仕上げ、送風を順に実行するコースである。重量検知動作は、最終脱水行程後に回転槽６を回転させてモータ１２の電気的負荷又は回転槽６の回転状況により被脱水物（脱水後の洗濯物）の乾燥負荷量（水分量）を推定する。加熱乾燥動作は、ヒータ２４を発熱させるとともに、ファンモータ２３によりファン２１を回転させて、温風を槽４内に供給し、また、回転槽６、パルセータ１０を適宜回転させることで、洗濯物を乾燥させる。仕上げ動作は、ヒータ２４の発熱量を低くするとともに、ファン２１の回転数も低くする。送風動作（ソフトキープ）は、ヒータ２４を断電した状態で、ファン２１を回転させる。加熱乾燥動作の後半で、乾燥検知を行う。乾燥検知は、排気温度センサ５８と水槽温度センサ５９の検知温度に基づき判定する。
【００２２】
洗濯・乾燥コース（洗濯・乾燥運転）は、上述した洗濯コースと乾燥コースを順に実行するコースである。
上記構成において、ユーザーが、任意のコースを選択操作し、スタート／一時停止スイッチ４３を押圧操作すると、制御装置３９は、選択されたコースの運転を開始する。そして、この運転中に、ユーザーが、例えば消費電力ピーク時間帯での運転を避けるために、スタート／一時停止スイッチ４３を押圧操作すると、制御装置３９は、実行中の運転を停止させるとともに、行程のどの時点で停止したかを記憶し、さらに、表示部５６における時間表示部５６ａに、中断する時間として、例えば図２に示すように「３：００」を表示する。この表示は、３時間後に運転を自動的に再開するという表示である。
【００２３】
制御装置３９は、その時間表示をした時点から所定時間、例えば３０秒経過したら、３時間後に運転を自動的に再開するということを確定する。時間表示をした時点から３０秒経過する前に、ユーザーが操作ダイヤル５５を操作すると、制御装置３９は、その操作ダイヤル５５からの信号に基づき、時間表示部５６ａの表示時間を変更して表示する。その変更した表示から３０秒経過すれば、中断する時間を確定する。
【００２４】
制御装置３９は、設定された中断時間（例えば３時間）が経過したら、運転を自動的に再開する。このとき、制御装置３９は、洗濯コースのうち洗い行程の途中で運転を一時中断した場合の再開処理としては、図５に示すように、洗い行程のどの段階で中断したとしても、洗い動作を初めからやり直す（ステップＳ１）。
【００２５】
洗い行程の途中で一時中断すると、回転槽６内の洗濯物は、洗剤を含んだ洗濯液につけおき状態となって長時間放置されることになる。仮に洗い時間が残り３０秒の時に中断した場合において、運転再開後、残りの３０秒間しか洗い動作が行われなかった場合、つけおきによって洗濯物に再付着した汚れが取れない可能性がある。この点、本実施形態のように、洗い行程の途中で運転を一時中断した場合、どの段階で中断したとしても、運転再開後は洗い動作を初めからやり直すことで、設定された洗い時間を確保し、洗濯物を充分に洗うことができ、仕上がりをよくすることができる。
【００２６】
（第２実施形態）
図６は第２実施形態を示す。この第２実施形態は、上記した第１実施形態とは次の点が異なっている。制御装置３９は、洗い行程の途中で一時中断した後、運転を再開する場合の再開処理として、洗い時間の残り時間が３分未満か否かを判断し（ステップＳ２）、３分以上ある場合には、「ＮＯ」に従ってステップＳ３へ移行し、設定された残り時間分、洗い動作を行った後、次の行程へ進む。ステップＳ２において、洗い時間の残り時間が３分未満と判断された場合には、「ＹＥＳ」に従ってステップＳ４へ移行し、最低限の一定時間、この場合３分間は洗い動作を行い、この後、次の行程へ進む。
【００２７】
この実施形態においては、洗い行程中に一時中断した場合、運転再開後は最低限の一定時間（この場合、３分間）は洗い動作を行うようにした。仮に洗い時間が残り３０秒の時に中断した場合において、運転再開後、残りの３０秒間しか洗い動作が行われなかった場合、つけおきによって洗濯物に再付着した汚れが取れない可能性があるが、本実施形態によれば、運転再開後は最低限の一定時間（３分間）は洗い動作を行うことで、洗濯物を良好に洗うことができ、仕上がりをよくすることができる。
【００２８】
（第３実施形態）
図７は第３実施形態を示す。この第３実施形態は、上記した第２実施形態とは次の点が異なっている。制御装置３９は、洗い行程の途中で一時中断した後、運転を再開する場合の再開処理として、中断時間の長さに応じて、再開後の洗いの最低動作時間を変えるようにしている。
【００２９】
具体的には、制御装置３９は、まず、中断時間が３０分以下か否かを判断し（ステップＳ５）、３０分以下である場合には「ＹＥＳ」に従ってステップＳ６へ移行し、最低動作時間を２分間に設定した後、ステップＳ７へ移行する。ステップＳ５において、中断時間が３０分より長く、３０分以下でないと判断した場合には、「ＮＯ」に従ってステップＳ８へ移行し、中断時間が２時間以下か否かを判断する。中断時間が２時間以下（３０分〜２時間）であると判定した場合には、「ＹＥＳ」に従ってステップＳ９へ移行し、最低動作時間を３分間に設定した後、ステップＳ７へ移行する。ステップＳ８において、中断時間が２時間より長く、２時間以下でないと判定した場合には、「ＮＯ」に従ってステップＳ１０へ移行し、中断時間が４時間以下か否かを判断する。中断時間が４時間以下（２時間〜４時間）であると判定した場合には、「ＹＥＳ」に従ってステップＳ１１へ移行し、最低動作時間を４分間に設定した後、ステップＳ７へ移行する。ステップＳ１０において、中断時間が４時間より長く、４時間以下でないと判定した場合には、「ＮＯ」に従ってステップＳ１２へ移行し、最低動作時間を５分間に設定した後、ステップＳ７へ移行する。
【００３０】
制御装置３９は、ステップＳ７において、運転再開後の洗い時間の残り時間が、設定した最低動作時間（ステップＳ６、Ｓ９、Ｓ１1、Ｓ１２で設定した時間）未満か否かを判断し、最低動作時間未満である場合には、「ＹＥＳ」に従ってステップＳ１３へ移行し、設定した最低動作時間の洗い動作を行った後、次の行程へ移行する。また、ステップＳ７において、運転再開後の洗い時間の残り時間が、設定した最低動作時間以上であると判断した場合には、残り時間分の洗い動作を行った後、次の行程へ移行する。
【００３１】
この実施形態においては、洗い行程の途中で一時中断した後、運転を再開する場合の再開処理として、中断時間の長さに応じて、再開後の洗いの最低動作時間を変えるようにした。中断時間の長さによりつけおきの状態も変わるので、その中断時間の長さに応じて、再開後の洗いの最低動作時間を変えることで、洗濯物を良好に洗うことができる。
【００３２】
（第４実施形態）
図８は第４実施形態を示す。この第４実施形態は、上記した第１〜第３実施形態とは次の点が異なっている。制御装置３９は、洗い行程の途中で一時中断した後、運転を再開する場合の再開処理として、中断時間の長さに応じて、再開後のすすぎ行程におけるすすぎの回数を変えるようにしている。
【００３３】
具体的には、制御装置３９は、まず、中断時間が２時間以下か否かを判断し（ステップＳ１５）、２時間以下である場合には「ＹＥＳ」に従ってステップＳ１６へ移行し、すすぎ回数を１回プラスする設定を行った後、ステップＳ１７へ移行する。ステップＳ１５において、中断時間が２時間より長い場合には、「ＮＯ」に従ってステップＳ１８へ移行し、中断時間が４時間以下か否かを判断する。中断時間が４時間以下（２時間〜４時間）である場合には、「ＹＥＳ」に従ってステップＳ１９へ移行し、すすぎ回数を２回プラスする設定を行った後、ステップＳ１７へ移行する。ステップＳ１８において、中断時間が４時間を超える場合には、「ＮＯ」に従ってステップＳ２０へ移行し、すすぎ回数を３回プラスする設定を行った後、ステップＳ１７へ移行する。
【００３４】
制御装置３９は、ステップＳ１７において、予め設定されていたすすぎ行程におけるすすぎ回数と、ステップＳ１６，Ｓ１９，Ｓ２０でプラスされたすすぎ回数とを合計し、合計のすすぎ回数が４回を超えるか否かを判断し、４回を超えると判断した場合には、「ＹＥＳ」に従ってステップＳ２１へ移行する。ステップＳ２１において、すすぎ回数を上限の４回に設定し、次の行程へ移行する。ステップＳ１７において、すすぎ回数が４回を超えない場合には、設定されたすすぎ回数のまま、次の行程へ移行する。
【００３５】
標準的な洗濯コースの場合、すすぎの回数は２回くらいとなっている。図４の場合、シャワーすすぎ１回と、ためすすぎ１回の合計２回となっている。洗い行程中に一時中断すると、通常のすすぎ動作だけでは、洗濯物に染み込んだ洗剤分が抜け落ちない可能性がある。本実施形態のように、洗い行程中に一時中断した場合、運転再開後は、すすぎ行程におけるすすぎの回数を増やすことで、洗濯物の洗剤残りを極力防止することが可能になる。
【００３６】
また、本実施形態においては、中断時間の長さに応じて運転再開後に増やすすすぎの回数を変えるようにしているので、中断時間の長さに応じた対応が可能となる。ただし、すすぎの回数は４回を上限とすることで、むやみにすすぎの回数が増えることを防止できる。
【００３７】
（第５実施形態）
図９は第５実施形態を示す。この第５実施形態は、上記した第１〜第４実施形態とは次の点が異なっている。制御装置３９は、洗い行程の途中で一時中断した後、運転を再開する場合の再開処理として、実行する洗濯コースのすすぎ行程においてシャワーすすぎの設定があるか否かを判断する（ステップＳ２２）。シャワーすすぎの設定がある場合には、「ＹＥＳ」に従ってステップＳ２３へ移行し、すすぎ行程におけるシャワーすすぎをためすすぎに変更した設定とし、この後、次の行程へ移行する。ステップＳ２２において、シャワーすすぎの設定がない場合には、「ＮＯ」に従ってそのまま次の行程へ移行する。
【００３８】
洗い行程の途中で一時中断した場合、シャワーすすぎ動作では、洗濯物に染み込んだ洗剤分が抜け落ちない可能性がある。ためすすぎ動作では、洗い動作と同様に槽４内に水を溜めた状態ですすぎ動作を行うので、洗濯物に染み込んだ洗剤分も良好にすすぎ出すことができ、洗濯物の洗剤残りを防止できる。
【００３９】
本実施形態においては、すすぎ行程にシャワーすすぎ動作が含まれる設定で運転していて、洗い行程中に一時中断した場合、運転再開後は前記シャワーすすぎ動作を止めてためすすぎ動作を行うようにすることで、一時中断で洗濯物に染み込んだ洗剤分も良好にすすぎ出すことができ、洗濯物の洗剤残りを防止できる。本実施形態では、すすぎ行程において、ためすすぎ動作を２回行うことになる。
【００４０】
（第６実施形態）
図１０は第６実施形態を示す。この第６実施形態は、上記した第１〜第５実施形態とは次の点が異なっている。制御装置３９は、脱水行程（最終脱水）における脱水動作中に一時中断した後、運転を再開する場合の再開処理として、脱水動作を初めからやり直す（ステップＳ２４）。
【００４１】
脱水動作中に一時中断した後、脱水動作を再開した場合、回転槽６の回転速度をゼロから立ち上げていくことになる。再開後の脱水動作の残り時間が短い場合、脱水のためのトップ回転速度に到達する前に脱水動作時間が終了してしまうおそれがある。このような場合、一時中断しない通常時に比べると、この立ち上げ期間分、回転速度に違いが出るため、その分脱水性能が低下することになる。
【００４２】
この点、本実施形態のように、脱水動作中に一時中断した場合、運転再開後はその脱水動作を初めからやり直すことで、設定された脱水動作時間を確保し、脱水性能が低下することを防止することができる。なお、この制御は、最終脱水動作に限らず、すすぎ行程における中間脱水動作に適用することもできる。
【００４３】
（第７実施形態）
図１１は第７実施形態を示す。この第７実施形態は、上記した第６実施形態とは次の点が異なっている。制御装置３９は、脱水行程（最終脱水）における脱水動作中に一時中断した後、運転を再開する場合の再開処理として、まず、槽４内に設定水位まで給水して洗濯物を濡らす（ステップＳ２５）。このとき、排水弁３４は閉鎖しておく。そして、排水弁３４を開放して排水し（ステップ２６）、この後、脱水動作を初めからやり直す（ステップＳ２７）。
【００４４】
脱水動作中に一時中断すると、回転槽６内の洗濯物は回転槽６の内面に張り付いたままの状態となる。そのまま動作再開まで長時間放置されると、通常の脱水時よりも洗濯物に一層しわが付き易い状態になってしまう。特に乾燥動作前にプリヒート脱水が行われるコースの場合には、温風を槽４内に供給するため、洗濯物にしわが一層つきやすくなるという事情がある。
【００４５】
この点、本実施形態のように、脱水動作中に一時中断した場合、運転再開後は槽４内に給水して洗濯物を濡らしてから脱水動作をやり直すことで、しわ付きの抑制と、脱水性能の低下防止を図ることが可能になる。
【００４６】
（第８実施形態）
図１２は第８実施形態を示す。この第８実施形態は、上記した第１〜第７実施形態とは次の点が異なっている。制御装置３９は、乾燥行程中に一時中断した後、運転を再開する場合の再開処理として、運転再開後は、残りの乾燥時間に所定の乾燥時間を追加するとともに、中断時間の長さに応じて追加する乾燥時間を変えるようにする。
【００４７】
具体的には、制御装置３９は、乾燥行程中に一時中断した後、運転を再開する場合、まず、中断時間が３０分以下か否かを判断し（ステップＳ３０）、３０分以下である場合には「ＹＥＳ」に従ってステップＳ３１へ移行し、残りの乾燥時間に、３０分の乾燥時間を追加する設定を行った後、ステップＳ３２へ移行して乾燥動作を実行する。乾燥動作では、残りの乾燥時間と、追加した乾燥時間を合計した時間の乾燥運転を行う。
【００４８】
ステップＳ３０において、中断時間が３０分より長い場合には、「ＮＯ」に従ってステップＳ３３へ移行し、中断時間が２時間以下か否かを判断する。中断時間が２時間以下（３０分〜２時間）であると判定した場合には、「ＹＥＳ」に従ってステップＳ３４へ移行し、残りの乾燥時間に、５０分の乾燥時間を追加する設定を行った後、ステップＳ３２へ移行して乾燥運転を実行する。
【００４９】
ステップＳ３３において、中断時間が２時間より長い場合には、「ＮＯ」に従ってステップＳ３５へ移行し、中断時間が４時間以下か否かを判断する。中断時間が４時間以下（２時間〜４時間）であると判定した場合には、「ＹＥＳ」に従ってステップＳ３６へ移行し、残りの乾燥時間に、７０分の乾燥時間を追加する設定を行った後、ステップＳ３２へ移行して乾燥運転を実行する。ステップＳ３５において、中断時間が４時間より長い場合には、「ＮＯ」に従ってステップＳ３７へ移行し、残りの乾燥時間に、９０分の乾燥時間を追加する設定を行った後、ステップＳ３２へ移行して乾燥運転を実行する。
【００５０】
乾燥行程中に一時中断すると、槽４内への温風の供給も停止し、槽４内の温度が低下す。そうなると、その後の乾燥検知が正確に行われなくなるため、乾燥運転を終了したとしても洗濯物が充分に乾燥できていない可能性がある。
【００５１】
この点、本実施形態によれば、乾燥行程中に一時中断した後、運転再開後は、残りの乾燥時間に所定の乾燥時間を追加して乾燥を行うことで、洗濯物が乾燥できない状況を回避することができる。また、中断時間の長さに応じて追加する乾燥時間を変えるようにしたことで、中断時間に対応した制御を行うことができ、洗濯物が乾燥できない状況を一層回避することができる。
【００５２】
（第９実施形態）
図１３および図１４は第９実施形態を示す。乾燥行程中に一時中断した場合、上記したように、槽４内への温風の供給も停止し、槽４内の温度が低下する。そうなると、その後の乾燥検知が正確に行われなくなり、洗濯物が充分に乾燥されない可能性がある。ただ、乾燥行程終了間際で中断した場合、再開後の乾燥時間を変えなくても問題ない場合もある。このように、乾燥行程のどのタイミングで一時中断したかによって、再開後の適正な追加乾燥時間は変わってくる。そこで、本実施形態においては、乾燥行程のどのタイミングで一時中断したかによって、追加する乾燥時間を変えるようにする。
【００５３】
図１４には、乾燥行程における複数の区間と内容の一例が示されている。区間としては、加熱区間、乾燥検知区間、仕上げ区間、送風区間（ソフトキープ）とに分けられる。このうち、加熱区間では、ヒータ出力は「強」、ファンの回転速度は３５００ｒｐｍである。乾燥検知区間では、ヒータ出力は「強」、ファンの回転速度は、加熱区間より高い４５００ｒｐｍである。仕上げ区間では、ヒータ出力は「弱」、ファンの回転速度は２５００ｒｐｍである。そして、送風区間では、ヒータは断電し、ファンの回転速度は３５００ｒｐｍである。
【００５４】
制御装置３９は、乾燥行程中に一時中断した後、運転を再開する場合、図１３に示すように、まず、乾燥行程中のどのタイミング（区間）で中断したかを判断する（ステップＳ３８，Ｓ３９，Ｓ４０）。加熱区間中に中断した場合には、ステップＳ３８で「ＹＥＳ」に従ってステップＳ４１へ移行し、残りの乾燥時間に４０分の乾燥時間を追加する設定を行った後、ステップＳ４２へ移行し、設定し直した乾燥時間で乾燥運転を実行する。乾燥検知区間中に中断した場合には、ステップＳ３９で「ＹＥＳ」に従ってステップＳ４３へ移行し、残りの乾燥時間に６０分の乾燥時間を追加する設定を行った後、ステップＳ４２へ移行し、設定し直した乾燥時間で乾燥運転を実行する。
【００５５】
仕上げ区間中に中断した場合には、ステップＳ４０で「ＹＥＳ」に従ってステップＳ４４へ移行し、残りの乾燥時間に２０分の乾燥時間を追加する設定を行った後、ステップＳ４２へ移行し、設定し直した乾燥時間で乾燥運転を実行する。また、送風区間中に中断した場合には、ステップＳ４０で「ＮＯ」に従ってステップＳ４５へ移行し、乾燥時間を追加しない設定をした後、ステップＳ４２へ移行し、設定した残りの乾燥時間で乾燥運転を実行する。なお、この実施形態において、乾燥検知区間中に中断した場合の追加時間（６０分）を、加熱区間中に中断した場合の追加時間（４０分）より長くしているのは、乾燥検知区間中に中断した場合、再開後に乾燥検知が正確に行われないことが多くなると予想されるため、乾燥検知を一層正確にするためである。
【００５６】
上記した実施形態によれば、乾燥行程のどのタイミングで一時中断したかによって、再開後の追加乾燥時間を変えるようにしたことで、状況に応じた乾燥ができ、適正な乾燥仕上がりを得ることができる。
【００５７】
（第１０実施形態）
図１５は第１０実施形態を示す。乾燥行程中に一時中断した場合、上記したように、槽４内への温風の供給も停止し、槽４内の温度が低下する。そうなると、その後の乾燥検知が正確に行われなくなり、洗濯物が充分に乾燥されない可能性がある。そこで、本実施形態おいては、乾燥運転を再開して、一旦、乾燥行程（乾燥運転）を終了した後、さらに追加で乾燥動作を行うことができるようにする。
【００５８】
具体的には、制御装置３９は、図１５に示すように、追加乾燥処理として、乾燥運転を終了処理し（ステップＳ４６）、この後、１０分経過するまでに蓋１６の開閉があったか否かを判断する（ステップＳ４７、Ｓ４８）。蓋１６の開閉検知は、図示しない蓋スイッチの検知により行う。１０分経過するまでに蓋１６の開閉が検知されなかった場合には、電源をオフする。
【００５９】
１０分経過するまでにユーザーが蓋１６を開閉し、制御装置３９がこれを検知したら、ステップＳ４７で「ＹＥＳ」に従ってステップＳ４９へ移行し、乾燥運転中に一時中断処理があったか否かを判断する。一時中断処理があった場合には、ステップＳ４９で「ＹＥＳ」に従ってステップＳ５０へ移行し、追加乾燥時間３０分を、表示部５６の時間表示部５６ａに表示する。この後、制御装置３９は、１０分経過するまでスタート／一時停止スイッチ４３が押圧操作されたか否かを判断する（ステップＳ５１、Ｓ５２）。１０分経過するまでにスタート／一時停止スイッチ４３が押圧操作されたと判断した場合には、ステップＳ５１で「ＹＥＳ」に従ってステップＳ５３へ移行し、３０分の追加乾燥運転を実行する。
【００６０】
ステップＳ５０で追加乾燥時間３０分を表示した後、１０分経過してもスタート／一時停止スイッチ４３が押圧操作されなかった場合には、制御装置３９は、ユーザーが追加乾燥する意志がないと判断し、ステップＳ５２で「ＹＥＳ」に従って電源をオフする。また、ステップＳ４９において、乾燥運転中に一時中断処理がなかったと判断した場合には、「ＮＯ」に従ってステップ５４へ移行し、１０分経過したら電源をオフする。
【００６１】
上記した実施形態においては、乾燥運転終了後、ユーザーの意志で追加乾燥を行うことができるので、ユーザーが、乾燥が充分でないと判断した場合に、それを補うことが可能となる。これにより、乾燥運転中に一時中断した後、運転を再開した場合でも、仕上がり状態を良くすることができる。
【００６２】
（第１１実施形態）
図１６は第１１実施形態を示す。上記した第１０実施形態においては、乾燥運転中に一時中断があった場合に追加する乾燥時間は、３０分の一定時間に限られていた（図１５のステップＳ５０参照）。しかし、中断時間が長ければ長いほど、槽４内の温度が低下するため、運転再開後に槽４内の温度を上げるのに時間が多くかかり、運転終了時の洗濯物の乾き具合も変わってくる。そのため、追加乾燥を行ったとしても洗濯物が充分に乾かない可能性も出てくる。そこで、本実施形態においては、図１５のステップ５０における追加乾燥時間を設定する処理において、図１６に示すように、乾燥時間の中断時間に応じて追加乾燥時間を変えるようにする。
【００６３】
具体的には、制御装置３９は、まず、中断時間が３０分以下か否かを判断し（ステップＳ５５）、３０分以下であると判断した場合には「ＹＥＳ」に従ってステップＳ５６へ移行し、追加乾燥時間を３０分に設定した後、次の処理へ移行する。ステップＳ５５において、中断時間が３０分より長い場合には、「ＮＯ」に従ってステップＳ５７へ移行し、中断時間が２時間以下か否かを判断する。中断時間が２時間以下（３０分〜２時間）であると判定した場合には、「ＹＥＳ」に従ってステップＳ５８へ移行し、追加乾燥時間を５０分に設定した後、次の処理へ移行する。
【００６４】
ステップＳ５７において、中断時間が２時間より長い場合には、「ＮＯ」に従ってステップＳ５９へ移行し、中断時間が４時間以下か否かを判断する。中断時間が４時間以下（２時間〜４時間）であると判定した場合には、「ＹＥＳ」に従ってステップＳ６０へ移行し、追加乾燥時間を７０分に設定した後、次の処理へ移行する。ステップＳ５９において、中断時間が４時間より長い場合には、「ＮＯ」に従ってステップＳ６１へ移行し、追加乾燥時間を９０分に設定した後、次の処理へ移行する。
【００６５】
上記した実施形態によれば、乾燥運転中に中断した中断時間の長さに応じて追加乾燥時間を変えることで、より一層乾燥状態を良くすることが可能になる。
（その他の実施形態）
図１５の第１０実施形態において、ステップ５０で追加乾燥時間を表示した際に、その追加乾燥時間をユーザーが任意に変更、設定できるようにしてもよい。このようにした場合には、乾燥状態をユーザーの好みに合わせることが可能となる。
【００６６】
洗濯運転または洗濯・乾燥運転を実行中に一時中断し、所定時間後に前記運転を自動的に再開する仕様としては、例えば次のような仕様でもよい。制御装置に予め消費電力ピーク時間帯が設定されていて、ユーザーが予約運転を設定した場合において、運転を実行中に消費電力ピーク時間帯に差し掛かった場合に、制御装置が運転を一時中断し、消費電力ピーク時間帯が過ぎた時点で、運転を自動的に再開するという仕様が考えられる。
【００６７】
洗濯機（洗濯乾燥機）としては、例示した槽４（水槽５、回転槽６）の軸方向が上下方向を向いた縦軸形の洗濯機に限られず、水槽およびドラムの軸方向が水平方向またはやや傾斜した横方向を向いた横軸形のドラム式洗濯機でもよい。
【００６８】
乾燥用の温風供給装置としては、ヒータ式に限られず、ヒートポンプ式を用いたものでもよい。
洗濯運転と乾燥運転の両方ができるものに限られず、乾燥運転ができないものでもよい。
【００６９】
以上説明したように、本実施形態の洗濯機は、洗濯運転または洗濯・乾燥運転を実行中に一時中断し、所定時間後に前記運転を自動的に再開する仕様を有するものにおいて、前記運転のうち洗い行程中に一時中断した場合、どの段階で中断したとしても、運転再開後は洗い動作を初めからやり直すようにしている。これにより、運転を一時中断した後、運転を再開しても洗濯物の仕上がりが悪化しないようにできる。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
図面中、４は槽、５は水槽、６は回転槽、１０はパルセータ、１１は駆動装置、２０は温風供給装置、３９は制御装置（制御手段）、４０は操作パネル、４３はスタート／一時停止スイッチ（一時停止スイッチ）、５６は表示部、５６ａは時間表示部を示す。
【図１】
0005897288.tif 000002
【図２】
0005897288.tif 000003
【図３】
0005897288.tif 000004
【図４】
0005897288.tif 000005
【図５】
0005897288.tif 000006
【図６】
0005897288.tif 000007
【図７】
0005897288.tif 000008
【図８】
0005897288.tif 000009
【図９】
0005897288.tif 000010
【図１０】
0005897288.tif 000011
【図１１】
0005897288.tif 000012
【図１２】
0005897288.tif 000013
【図１３】
0005897288.tif 000014
【図１４】
0005897288.tif 000015
【図１５】
0005897288.tif 000016
【図１６】
0005897288.tif 000017